(57)【特許請求の範囲】
【請求項１】
光ファイバケーブル用クロージャーの外周を覆うためのクロージャーカバー（１０）であって、
２つ割りの筒状形状の本体を構成する上部本体（１１ａ）および下部本体（１１ｂ）と、
前記上部本体の接合面（１２ａ）に所定の間隔をもって前記クロージャーカバーの長手方向に沿って形成された第１および第２の凸条部（１３1，１３2）と、
前記下部本体の接合面（１２ｂ）に前記クロージャーカバーの長手方向に沿って形成された、かつ、前記クロージャーカバーを閉じたときに前記第１および第２の凸条部がそれぞれ嵌合する第１および第２の凹条部（１４1，１４2）と、
前記上部本体の接合面および前記下部本体の接合面に形成された、かつ、前記クロージャーカバーを閉じたときの光ファイバ心線（１）の挟込みを防止するための光ファイバ心線挟込み防止手段とを具備し、
前記光ファイバ心線挟込み防止手段が、
前記上部本体の接合面の前記第１の凸条部と前記第２の凸条部との間に前記クロージャーカバーの長手方向に沿って形成された、かつ、一端が該上部本体の接合面に固定された、かつ、他端が自由端とされた蛇腹状部材（２１）と、
前記下部本体の接合面の前記第１の凹条部と前記第２の凹条部との間の位置に形成された、かつ、前記クロージャーカバーを閉じたときに前記蛇腹状部材を収容するための蛇腹状部材収容溝（２２）とを備え、
前記蛇腹状部材の長さ（Ｌ）が、前記クロージャーカバーを閉じる際に前記光ファイバ心線が該クロージャーカバーからはみ出して、該はみ出した光ファイバ心線によって該蛇腹状部材の他端部が曲げられると、前記第１または第２の凸条部が前記第１または第２の凹条部に嵌合するのを防ぐ蓋として機能する長さとされている、
ことを特徴とする、クロージャーカバー。
【請求項２】
前記蛇腹状部材が、前記上部本体の接合面の前記第１の凸条部と前記第２の凸条部との中間の位置に形成されており、
前記蛇腹状部材収容溝が、前記下部本体の接合面の前記第１の凹条部と前記第２の凹条部との中間の位置に形成されている、
ことを特徴とする、請求項１記載のクロージャーカバー。
【請求項３】
前記蛇腹状部材の長さ（Ｌ）が、該蛇腹状部材の前記上部本体の接合面への取付点から前記第１の凸条部の前記第２の凸条部と対向する面の下端までの距離を“Ａ”とし、前記第１の凹状部の開口面の幅を“Ｂ”とすると、
Ｌ＞Ａ＋Ｂ
とされていることを特徴とする、請求項１または２記載のクロージャーカバー。
【請求項４】
前記蛇腹状部材収容溝の深さが前記蛇腹状部材の長さよりも小さいことを特徴とする、請求項１乃至３いずれかに記載のクロージャーカバー。
【請求項５】
前記蛇腹状部材収容溝の深さが前記第１および第２の凹条部の深さと同じであることを特徴とする、請求項４記載のクロージャーカバー。
【請求項６】
前記上部本体および前記下部本体の左側端面部にそれぞれ取り付けられた、かつ、前記クロージャーカバーを閉じたときに左側端面板を構成する上部左側端面板（１５ａＬ）および下部左側端面板（１５ｂＬ）と、
前記上部本体および前記下部本体の右側端面部にそれぞれ取り付けられた、かつ、前記クロージャーカバーを閉じたときに右側端面板を構成する上部右側端面板（１５ａＲ）および下部右側端面板（１５ｂＲ）と、
前記上部左側端面板の接合面に所定の間隔をもって該上部左側端面板の接合面の長手方向に沿って形成された第１および第２の左側凸条部と、
前記上部右側端面板の接合面に前記所定の間隔をもって該上部右側端面板の接合面の長手方向に沿って形成された第１および第２の右側凸条部と、
前記下部左側端面板の接合面に該下部左側端面板の接合面の長手方向に沿って形成された、かつ、前記クロージャーカバーを閉じたときに前記第１および第２の左側凸条部がそれぞれ嵌合する第１および第２の左側凹条部と、
前記下部右側端面板の接合面に該下部右側端面板の接合面の長手方向に沿って形成された、かつ、前記クロージャーカバーを閉じたときに前記第１および第２の右側凸条部がそれぞれ嵌合する第１および第２の右側凹条部と、
前記上部左側端面板、前記下部左側端面板、前記上部右側端面板および前記下部右側端面板の接合面に形成された、かつ、前記クロージャーカバーを閉じたときの前記光ファイバ心線の挟込みを防止するための他の光ファイバ心線挟込み防止手段とをさらに具備し、
前記他の光ファイバ心線挟込み防止手段が、
前記上部左側端面板の接合面の前記第１の左側凸条部と前記第２の左側凸条部との間に該上部左側端面板の接合面の長手方向に沿って形成された、かつ、一端が該上部左側端面板の接合面に固定された、かつ、他端が自由端とされた左側蛇腹状部材と、
前記上部右側端面板の接合面の前記第１の右側凸条部と前記第２の右側凸条部との間に該上部右側端面板の接合面の長手方向に沿って形成された、かつ、一端が該上部右側端面板の接合面に固定された、かつ、他端が自由端とされた右側蛇腹状部材と、
前記下部左側端面板の接合面の前記第１の左側凹条部と前記第２の左側凹条部との間の位置に形成された、かつ、前記クロージャーカバーを閉じたときに前記左側蛇腹状部材を収容するための左側蛇腹状部材収容溝と、
前記下部右側端面板の接合面の前記第１の右側凹条部と前記第２の右側凹条部との間の位置に形成された、かつ、前記クロージャーカバーを閉じたときに前記右側蛇腹状部材を収容するための右側蛇腹状部材収容溝とを備え、
前記左側蛇腹状部材の長さが、前記クロージャーカバーを閉じる際に前記光ファイバ心線が該クロージャーカバーからはみ出して、該はみ出した光ファイバ心線によって該左側蛇腹状部材の他端部が曲げられると、前記第１または第２の左側凸条部が前記第１または第２の左側凹条部に嵌合するのを防ぐ蓋として機能する長さとされており、
前記右側蛇腹状部材の長さが、前記クロージャーカバーを閉じる際に前記光ファイバ心線が該クロージャーカバーからはみ出して、該はみ出した光ファイバ心線によって該右側蛇腹状部材の他端部が曲げられると、前記第１または第２の右側凸条部が前記第１または第２の右側凹条部に嵌合するのを防ぐ蓋として機能する長さとされている、
ことを特徴とする、請求項１乃至５いずれかに記載のクロージャーカバー。
【発明の詳細な説明】
【技術分野】
【０００１】
本発明は、光ファイバ心線を挟み込むことなく閉じるのに好適なクロージャーカバーに関する。
【背景技術】
【０００２】
従来、電柱上などで光ファイバケーブルを接続する際には、光ファイバケーブル用クロージャー（以下、「クロージャー」と称する。）が用いられている。
このようなクロージャーは、両端部に端面板を備えた内部ユニット内に光ファイバケーブルを導入し、導入した光ファイバケーブルから光ファイバ心線を引き出して相互に接続して収納する構造を有する。
また、クロージャーの内部ユニットは、クロージャーの外周をクロージャーカバーで覆うことにより風雨や障害物などから保護されている。
【０００３】
ここで、クロージャーカバーは、クロージャーカバーを開放して光ファイバ心線の接続作業が行えるように開閉可能な構造となっており、２つ割りの筒状形状の本体を備えている。
【０００４】
たとえば、図３（ａ）に示すようなクロージャーカバー１１０は、２つ割りの円筒状形状の本体を構成する上部本体１１１ａおよび下部本体１１１ｂと、上部本体１１１ａおよび下部本体１１１ｂの左側端面部にそれぞれ取り付けられた、かつ、クロージャーカバー１１０を閉じたときに円板状の左側端面板を構成する上部左側端面板１１５ａＬおよび下部左側端面板１１５ｂＬと、上部本体１１１ａおよび下部本体１１１ｂの右側端面部にそれぞれ取り付けられた、かつ、クロージャーカバー１１０を閉じたときに円板状の右側端面板を構成する上部右側端面板１１５ａＲおよび下部右側端面板１１５ｂＲとを備える。
【０００５】
ここで、上部左側端面板１１５ａＬおよび下部左側端面板１１５ｂＬの中央部には、クロージャーカバー１１０を閉じたときに光ファイバケーブルの左側導入口を形成するための半円状の切欠きが設けられている。
同様に、上部右側端面板１１５ａＲおよび下部右側端面板１１５ｂＲの中央部には、クロージャーカバー１１０を閉じたときに光ファイバケーブルの右側導入口を形成するための半円状の切欠きが設けられている。
【０００６】
また、クロージャーカバー１１０を閉じたときの密封性および耐水性を図るために、図３（ａ），（ｂ）に示すように、上部本体１１１ａの接合面１１２ａ（クロージャーカバー１１０を閉じたときに下部本体１１１ｂの接合面と接合する面。以下、「上部接合面１１２ａ」と称する。）には、凸条部１１３がクロージャーカバー１１０の長手方向に沿って左端から右端まで形成されているとともに、図３（ａ），（ｃ）に示すように、下部本体１１１ｂの接合面１１２ｂ（クロージャーカバー１０を閉じたときに上部接合面１１２ａと接合する面。以下、「下部接合面１１２ｂ」と称する。）には、クロージャーカバー１１０を閉じたときに凸条部１１３が嵌合する凹条部１１４がクロージャーカバー１１０の長手方向に沿って左端から右端まで形成されている。
【０００７】
なお、本出願人は、下記の特許文献１において、複数の光ファイバ心線を接続する接続部を保持するベース板にカバーを設け、カバーおよびベース板によって接続部を開放可能な状態で収納する収納空間を形成するようにし、伸長した状態において収納空間を形成するとともに収縮した状態において接続部を外部に開放するようにカバーを所定方向に沿って伸縮可能とすることによって、ベース板とカバーとの間に光ファイバケーブルが挟まってもカバーを収縮させて光ファイバケーブルを回避することができ、光ファイバケーブルの変形や損傷を防止できるようにしたクロージャーを開示している。
また、下記の特許文献２には、内部で光ファイバ心線を接続するクロージャー本体と、クロージャー本体１の内部を閉じる蓋体からなり、クロージャー本体の合せ縁の内側に隙間をあけて連結棒を設けたケーブルクロージャーにおいて、隙間に心線挟み込み防止シートを差し込んで、接続した光ファイバ心線がクロージャー本体と蓋体との合せ目に挟み込まれるのを防止するようにしたクロージャーが開示されている。
【先行技術文献】
【特許文献】
【０００８】
【特許文献１】特開２００９−１３９６８９号公報
【特許文献２】登録実用新案第３１００３０５号公報
【発明の概要】
【発明が解決しようとする課題】
【０００９】
しかしながら、上述したように、クロージャーカバー１１０の本体は２つ割りの円筒状形状とされているため、作業員が光ファイバ心線１の接続作業を終了してクロージャーカバー１１０を閉じる際に光ファイバ心線１がクロージャーカバー１１０からはみ出していない場合には、図４（ａ）に示すように光ファイバ心線１を挟み込むことなく凸条部１１３を凹条部１１４に嵌合することができるが、クロージャーカバーを閉じる際に光ファイバ心線１がクロージャーカバー１１０からはみ出している場合には、はみ出した光ファイバ心線１が図４（ｂ）に示すように凸条部１１３と凹条部１１４との間の隙間に入り込み、凸条部１１３と凹条部１１４とで光ファイバ心線１を挟み込んでしまうため、回線障害を起こす可能性が生じる。
【００１０】
そのため、光ファイバ心線１がクロージャーカバー１１０からはみ出していないことを作業者は確認することになっているが、光ファイバ心線１の接続作業は電柱上での作業であるため、クロージャーカバー１１０を閉じたときに光ファイバ心線１がクロージャーカバー１１０に挟まった状態にしていることに作業者が気づかない場合があるという問題があった。
【００１１】
このような問題を解決するために、警報や点灯ランプなどの光ファイバ心線挟込み検知手段をクロージャーに設けて作業者に知らせる方法も考えられるが、クロージャーは電柱上に設置されるために光ファイバ心線挟込み検知手段への電源供給が困難であり、また、保守メンテナンス、安全および経済面からも光ファイバ心線挟込み検知手段への電源供給は難しいという問題がある。
【００１２】
本発明の目的は、光ファイバ心線の挟込みを防止することができるクロージャーカバーを提供することにある。
【課題を解決するための手段】
【００１３】
本発明のクロージャーカバーは、光ファイバケーブル用クロージャーの外周を覆うためのクロージャーカバー（１０）であって、２つ割りの筒状形状の本体を構成する上部本体（１１ａ）および下部本体（１１ｂ）と、前記上部本体の接合面（１２ａ）に所定の間隔をもって前記クロージャーカバーの長手方向に沿って形成された第１および第２の凸条部（１３1，１３2）と、前記下部本体の接合面（１２ｂ）に前記クロージャーカバーの長手方向に沿って形成された、かつ、前記クロージャーカバーを閉じたときに前記第１および第２の凸条部がそれぞれ嵌合する第１および第２の凹条部（１４1，１４2）と、前記上部本体の接合面および前記下部本体の接合面に形成された、かつ、前記クロージャーカバーを閉じたときの光ファイバ心線（１）の挟込みを防止するための光ファイバ心線挟込み防止手段とを具備し、前記光ファイバ心線挟込み防止手段が、前記上部本体の接合面の前記第１の凸条部と前記第２の凸条部との間に前記クロージャーカバーの長手方向に沿って形成された、かつ、一端が該上部本体の接合面に固定された、かつ、他端が自由端とされた蛇腹状部材（２１）と、前記下部本体の接合面の前記第１の凹条部と前記第２の凹条部との間の位置に形成された、かつ、前記クロージャーカバーを閉じたときに前記蛇腹状部材を収容するための蛇腹状部材収容溝（２２）とを備え、前記蛇腹状部材の長さ（Ｌ）が、前記クロージャーカバーを閉じる際に前記光ファイバ心線が該クロージャーカバーからはみ出して、該はみ出した光ファイバ心線によって該蛇腹状部材の他端部が曲げられると、前記第１または第２の凸条部が前記第１または第２の凹条部に嵌合するのを防ぐ蓋として機能する長さとされていることを特徴とする。
ここで、前記蛇腹状部材が、前記上部本体の接合面の前記第１の凸条部と前記第２の凸条部との中間の位置に形成されており、前記蛇腹状部材収容溝が、前記下部本体の接合面の前記第１の凹条部と前記第２の凹条部との中間の位置に形成されていてもよい。
前記蛇腹状部材の長さ（Ｌ）が、該蛇腹状部材の前記上部本体の接合面への取付点から前記第１の凸条部の前記第２の凸条部と対向する面の下端までの距離を“Ａ”とし、前記第１の凹状部の開口面の幅を“Ｂ”とすると、
Ｌ＞Ａ＋Ｂ
とされていてもよい。
前記蛇腹状部材収容溝の深さが前記蛇腹状部材の長さよりも小さくてもよい。
前記蛇腹状部材収容溝の深さが前記第１および第２の凹条部の深さと同じであってもよい。
前記上部本体および前記下部本体の左側端面部にそれぞれ取り付けられた、かつ、前記クロージャーカバーを閉じたときに左側端面板を構成する上部左側端面板（１５ａＬ）および下部左側端面板（１５ｂＬ）と、前記上部本体および前記下部本体の右側端面部にそれぞれ取り付けられた、かつ、前記クロージャーカバーを閉じたときに右側端面板を構成する上部右側端面板（１５ａＲ）および下部右側端面板（１５ｂＲ）と、前記上部左側端面板の接合面に所定の間隔をもって該上部左側端面板の接合面の長手方向に沿って形成された第１および第２の左側凸条部と、前記上部右側端面板の接合面に前記所定の間隔をもって該上部右側端面板の接合面の長手方向に沿って形成された第１および第２の右側凸条部と、前記下部左側端面板の接合面に該下部左側端面板の接合面の長手方向に沿って形成された、かつ、前記クロージャーカバーを閉じたときに前記第１および第２の左側凸条部がそれぞれ嵌合する第１および第２の左側凹条部と、前記下部右側端面板の接合面に該下部右側端面板の接合面の長手方向に沿って形成された、かつ、前記クロージャーカバーを閉じたときに前記第１および第２の右側凸条部がそれぞれ嵌合する第１および第２の右側凹条部と、前記上部左側端面板、前記下部左側端面板、前記上部右側端面板および前記下部右側端面板の接合面に形成された、かつ、前記クロージャーカバーを閉じたときの前記光ファイバ心線の挟込みを防止するための他の光ファイバ心線挟込み防止手段とをさらに具備し、前記他の光ファイバ心線挟込み防止手段が、前記上部左側端面板の接合面の前記第１の左側凸条部と前記第２の左側凸条部との間に該上部左側端面板の接合面の長手方向に沿って形成された、かつ、一端が該上部左側端面板の接合面に固定された、かつ、他端が自由端とされた左側蛇腹状部材と、前記上部右側端面板の接合面の前記第１の右側凸条部と前記第２の右側凸条部との間に該上部右側端面板の接合面の長手方向に沿って形成された、かつ、一端が該上部右側端面板の接合面に固定された、かつ、他端が自由端とされた右側蛇腹状部材と、前記下部左側端面板の接合面の前記第１の左側凹条部と前記第２の左側凹条部との間の位置に形成された、かつ、前記クロージャーカバーを閉じたときに前記左側蛇腹状部材を収容するための左側蛇腹状部材収容溝と、前記下部右側端面板の接合面の前記第１の右側凹条部と前記第２の右側凹条部との間の位置に形成された、かつ、前記クロージャーカバーを閉じたときに前記右側蛇腹状部材を収容するための右側蛇腹状部材収容溝とを備え、前記左側蛇腹状部材の長さが、前記クロージャーカバーを閉じる際に前記光ファイバ心線が該クロージャーカバーからはみ出して、該はみ出した光ファイバ心線によって該左側蛇腹状部材の他端部が曲げられると、前記第１または第２の左側凸条部が前記第１または第２の左側凹条部に嵌合するのを防ぐ蓋として機能する長さとされており、前記右側蛇腹状部材の長さが、前記クロージャーカバーを閉じる際に前記光ファイバ心線が該クロージャーカバーからはみ出して、該はみ出した光ファイバ心線によって該右側蛇腹状部材の他端部が曲げられると、前記第１または第２の右側凸条部が前記第１または第２の右側凹条部に嵌合するのを防ぐ蓋として機能する長さとされてもよい。
【発明の効果】
【００１４】
本発明のクロージャーカバーは、以下の効果を奏する。
（１）クロージャーカバーを閉じたときの光ファイバ心線の挟込みを防止するための光ファイバ心線挟込み防止手段を上部本体の接合面および下部本体の接合面に形成することにより、光ファイバ心線がクロージャーカバーに挟み込まれることにより生じる回線障害をなくすことができる。
（２）作業員は光ファイバ心線がクロージャーカバーに挟み込まれているか否かを事前に気付くことができるため、無理やりクロージャーカバーを閉じることによる光ファイバ心線の損傷などを防ぐことができる。
【図面の簡単な説明】
【００１５】
【図１】本発明の一実施例によるクロージャーカバー１０の構成を示す図であり、（ａ）はクロージャーカバー１０を開いたときの上から見た図、（ｂ）は上部接合面１２ａに形成された蛇腹状部材２１について説明するための図、（ｃ）は下部接合面１２ｂに形成された蛇腹状部材収容溝２２について説明するための図である。
【図２】図１に示したクロージャーカバー１０の効果について説明するための図であり、（ａ）は光ファイバ心線１のはみ出しがない場合のクロージャーカバー１０を閉じたときの蛇腹状部材２１の状態を示す図、（ｂ）および（ｃ）は光ファイバ心線１のはみ出しがある場合のクロージャーカバー１０を閉じたときの蛇腹状部材２１の状態を示す図である。
【図３】従来のクロージャーカバー１１０の構成を示す図であり、（ａ）はクロージャーカバー１１０を開いたときの上から見た図、（ｂ）は上部接合面１１２ａに形成された凸条部材１１３について説明するための図、（ｃ）は下部接合面１１２ｂに形成された凹状部材１１４について説明するための図である。
【図４】図３に示したクロージャーカバー１１０の問題点について説明するための図であり、（ａ）は光ファイバ心線１のはみ出しがない場合のクロージャーカバー１１０を閉じたときの状態を示す図、（ｂ）は光ファイバ心線１のはみ出しがある場合のクロージャーカバー１０を閉じたときの状態を示す図である。
【発明を実施するための形態】
【００１６】
上記の目的を、一端が上部本体の接合面に固定された蛇腹状部材を上部本体の接合面の第１の凸条部と第２の凸条部との間にクロージャーカバーの長手方向に沿って形成するとともに、クロージャーカバーを閉じたときに蛇腹状部材を収容するための蛇腹状部材収容溝を下部本体の接合面の第１の凹条部と第２の凹条部との間の位置に形成することにより実現した。
【実施例１】
【００１７】
以下、本発明のクロージャーカバーの実施例について図面を参照して説明する。
本発明の一実施例によるクロージャーカバー１０は、図１（ａ）に示すように、２つ割りの円筒状形状の本体を構成する上部本体１１ａおよび下部本体１１ｂと、上部本体１１ａおよび下部本体１１ｂの左側端面部にそれぞれ取り付けられた、かつ、クロージャーカバー１０を閉じたときに円板状の左側端面板を構成する上部左側端面板１５ａＬおよび下部左側端面板１５ｂＬと、上部本体１１ａおよび下部本体１１ｂの右側端面部にそれぞれ取り付けられた、かつ、クロージャーカバー１０を閉じたときに円板状の右側端面板を構成する上部右側端面板１５ａＲおよび下部右側端面板１５ｂＲとを備える。
【００１８】
ここで、上部左側端面板１５ａＬおよび下部左側端面板１５ｂＬの中央部には、クロージャーカバー１０を閉じたときに光ファイバケーブルの左側導入口を形成するための半円状の切欠きが設けられている。
同様に、上部右側端面板１５ａＲおよび下部右側端面板１５ｂＲの中央部には、クロージャーカバー１０を閉じたときに光ファイバケーブルの右側導入口を形成するための半円状の切欠きが設けられている。
【００１９】
また、クロージャーカバー１０を閉じたときの密封性および耐水性を図るために、図１（ａ），（ｂ）に示すように、上部本体１１ａの接合面１２ａ（クロージャーカバー１０を閉じたときに下部本体１１ｂの接合面と接合する面。以下、「上部接合面１２ａ」と称する。）には、第１および第２の凸条部１３1，１３2が所定の間隔をもってクロージャーカバー１０の長手方向に沿って左端から右端まで形成されているとともに、図１（ａ），（ｃ）に示すように、下部本体１１ｂの接合面１２ｂ（クロージャーカバー１０を閉じたときに上部接合面１２ａと接合する面。以下、「下部接合面１２ｂ」と称する。）には、クロージャーカバー１０を閉じたときに第１および第２の凸条部１３1，１３2がそれぞれ嵌合する第１および第２の凹条部１４1，１４2がクロージャーカバー１０の長手方向に沿って左端から右端まで形成されている。
【００２０】
さらに、クロージャーカバー１０を閉じたときの光ファイバ心線１の挟込みを防止するための光ファイバ心線挟込み防止手段として、図１（ａ），（ｂ）に示すように、１枚の板状部材をその長手方向に対して垂直方向に沿って山折りと谷折りとが繰り返される蛇腹状にした蛇腹状部材２１が、上部接合面１２ａの第１の凸条部１３1と第２の凸条部１３2との中間の位置にクロージャーカバー１０の長手方向に沿って左端から右端まで形成されているとともに、図１（ａ），（ｃ）に示すように、クロージャーカバー１０を閉じたときに蛇腹状部材２１を収容するための蛇腹状部材収容溝２２が下部接合面１１ｂの第１の凹条部１４1と第２の凹条部１４2との中間の位置に形成されている。
【００２１】
ここで、蛇腹状部材２１の一端は上部接合面１２ａに固定されており、蛇腹状部材２１の他端は自由端とされている。
また、蛇腹状部材２１の長さＬは、蛇腹状部材２１の上部接合面１２ａへの取付点から第１の凸条部１３1の第２の凸条部１３2と対向する面の下端までの距離を“Ａ”とし、
第１の凹状部１４1の開口面の幅（クロージャーカバー１０を閉じたときのクロージャーカバー１０の本体の径方向に沿った長さ）を“Ｂ”とすると、
Ｌ＞Ａ＋Ｂ
とされている。
【００２２】
なお、クロージャーカバー１０を閉じる際に光ファイバ心線１がクロージャーカバー１１０からはみ出している部分の蛇腹状部材２１のみが曲がるようにするために、蛇腹状部材２１に多数本の縦スリットを蛇腹状部材２１の長手方向に沿って所定の間隔で設けてもよい。
【００２３】
蛇腹状部材収容溝２２の深さは、第１および第２の凹条部１４1，１４2の深さと同じにされている。
【００２４】
このように構成されたクロージャーカバー１０では、作業員が光ファイバ心線１の接続作業を終了してクロージャーカバー１０を閉じる際に光ファイバ心線１がクロージャーカバー１０からはみ出していない場合には、図２（ａ）に示すように、蛇腹状部材２１は蛇腹状部材収容溝２２の底面に他端（自由端）が接触したのちは縮んでいき最終的に蛇腹状部材収容溝２２に収納することができるので、第１および第２の凸条部１３1，１３2を第１および第２の凹条部１４1，１４2にそれぞれ嵌合することができる。
【００２５】
また、作業員が光ファイバ心線１の接続作業を終了してクロージャーカバー１０を閉じる際に光ファイバ心線１がクロージャーカバー１１０からはみ出している場合には、この部分の蛇腹状部材２１は、はみ出した光ファイバ心線１によって他端（自由端）部が曲げられて、図２（ｂ）に示すように第１の凸条部１３1が第１の凹条部１４1に嵌合するのを防ぐ蓋または図２（ｃ）に示すように第２の凸条部１３2が第２の凹条部１４2に嵌合するのを防ぐ蓋として機能する。
そのため、作業員は、クロージャーカバー１０を閉じる際に普段と異なる抵抗感を覚えるため、光ファイバ心線１がクロージャーカバー１１０からはみ出していることを知ることができる。
【００２６】
このとき、蛇腹状部材２１の代わりに、可撓性の板状部材を用いると、クロージャーカバー１０を閉じる際に光ファイバ心線１がクロージャーカバー１１０からはみ出している場合に、光ファイバ心線１によって蛇腹状部材２１と同様に板状部材を曲げることはできるが、その後、板状部材の上面が第１または第２の凸条部１３1，１３2によって下方に向かって押されて曲げられるため、第１または第２の凸条部１３1，１３2が第１または第２の凹条部１４1，１４2に嵌合するのを防ぐ蓋として十分に機能しない。
一方、蛇腹状部材２１は、その上面が第１または第２の凸条部１３1，１３2によって下方に向かって押されても、押された部分が伸びるため、第１または第２の凸条部１３1，１３2が第１または第２の凹条部１４1，１４2に嵌合するのを防ぐ蓋として十分に機能するという利点がある。
【００２７】
また、蛇腹状部材２１の代わりに可撓性の板状部材を用いると、板状部材を蛇腹状部材収容溝２２のような板状部材収容溝に収容するためには、板状部材収容溝の深さを板状部材の長さＬ（Ｌ＞Ａ＋Ｂのため、Ｌは第１および第２の凹条部１４1，１４2の深さよりも大きくなる。）以上にしなければならないが、蛇腹状部材２１とすることにより、図２（ａ）に示すように蛇腹状部材２１を縮めて蛇腹状部材収容溝２２に収納することができるため、蛇腹状部材収容溝２２の深さを蛇腹状部材２１の長さＬ（＞Ａ＋Ｂ）以下にすることができる（たとえば、図１（ｃ）に示したように蛇腹状部材収容溝２２の深さを第１および第２の凹条部１４1，１４2の深さと同じにすることができる）。
【００２８】
以上の説明では、蛇腹状部材２１は、第１の凸条部１３1側および第２の凸条部１３2側のどちらにも蛇腹状部材２１が曲げられても同じように第１の凹条部１４1および第２の凹条部１４2を蓋できるように（図２（ｂ），（ｃ）参照）、上部接合面１２ａの第１の凸条部１３1と第２の凸条部１３2との中間の位置に取り付けたが、上部接合面１２ａの第１の凸条部１３1と第２の凸条部１３2との間の位置に取り付ければよい。この場合には、蛇腹状部材２１を上部接合面１２ａの第１の凸条部１３1と第２の凸条部１３2との中間の位置に取り付ける場合に比べて、蛇腹状部材２１の長さＬを長くすればよい。
【００２９】
また、光ファイバ心線挟込み防止手段を上部本体１１ａの接合面１２ａおよび下部本体１１ｂの接合面１２ｂにのみ形成したが、上部左側端面板１５ａＬ、下部左側端面板１５ｂＬ、上部右側端面板１５ａＲおよび下部右側端面板１５ｂＲの接合面にも形成してもよい。
【００３０】
この場合には、第１および第２の左側凸条部を上部左側端面板１５ａＬの接合面に所定の間隔をもって上部左側端面板１５ａＬの接合面の長手方向に沿って形成し、第１および第２の右側凸条部を上部右側端面板１５ａＲの接合面に所定の間隔をもって上部右側端面板１５ａＬの接合面の長手方向に沿って形成し、クロージャーカバー１０を閉じたときに第１および第２の左側凸条部がそれぞれ嵌合する第１および第２の左側凹条部を下部左側端面板１５ｂＬの接合面に下部左側端面板１５ｂＲの接合面の長手方向に沿って形成するとともに、クロージャーカバー１０を閉じたときに第１および第２の右側凸条部がそれぞれ嵌合する第１および第２の右側凹条部を下部右側端面板１５ｂＲの接合面に下部右側端面板１５ｂＲの接合面の長手方向に沿って形成する。
また、光ファイバ心線挟込み防止手段として、一端が上部左側端面板１５ａＬの接合面に固定された左側蛇腹状部材を上部左側端面板１５ａＬの接合面の第１の左側凸条部と第２の左側凸条部との間に上部左側端面板１５ａＬの接合面の長手方向に沿って形成し、一端が上部右側端面板１５ａＲの接合面に固定された右側蛇腹状部材を上部右側端面板１５ａＲの接合面の第１の右側凸条部と第２の右側凸条部との間に上部右側端面板１５ａＲの接合面の長手方向に沿って形成し、クロージャーカバー１０を閉じたときに左側蛇腹状部材を収容するための左側蛇腹状部材収容溝を下部左側端面板１５ｂＬの接合面の第１の左側凹条部と第２の左側凹条部との間の位置に形成し、クロージャーカバー１０を閉じたときに右側蛇腹状部材を収容するための右側蛇腹状部材収容溝を下部右側端面板１５ｂＲの接合面の第１の右側凹条部と第２の右側凹条部との間の位置に形成する。
【符号の説明】
【００３１】
１  光ファイバ心線
１０，１１０  クロージャーカバー
１１ａ，１１１ａ  上部本体
１１ｂ，１１１ｂ  下部本体
１２ａ，１１２ａ  上部接合面
１２ｂ，１１２ｂ  下部接合面
１３1，１３2  第１および第２の凸条部
１４1，１４2  第１および第２の凹条部
１５ａＬ，１１５ａＬ  上部左側端面板
１５ｂＬ，１１５ｂＬ  下部左側端面板
１５ａＲ，１１５ａＲ  上部左側端面板
１５ｂＲ，１１５ｂＲ  下部右側端面板
２１  蛇腹状部材
２２  蛇腹状部材収容溝
１１３  凸条部
１１４  凹条部
Ｌ  長さ
Ａ  距離
Ｂ  幅
【図１】
0005610631.tif 000002
【図２】
0005610631.tif 000003
【図３】
0005610631.tif 000004
【図４】
0005610631.tif 000005